(57)【要約】【課題】  シート状物の案内装置において、種々のシート状物を確実に前当てに当接させるよう当該シート状物を案内する。【解決手段】  板状ガイド体５Ｅは、案内面５ｄが差板２上のシート状物Ｐの上面に接触または離間するように上下方向へ移動調節自在に支持されている。板状ガイド体５Ｅのシート状物搬送方向下流側端部に、複数の回転ガイド体６のそれぞれが臨む複数の切欠き５ｃと、これら切欠き５ｃ間に対応する案内面５ｄとが設けられている。回転ガイド体６は切欠き５ｃに臨むように揺動体３０に支持されており、圧縮コイルばね３５の弾発力によってシート状物Ｐの上面に接触している。この回転ガイド体６は、第２の調節ボルト３２を前進させることにより、個々にシート状物Ｐの上面から離間する。また、ステー７を回動させることにより、すべての回転ガイド体６を一括してシート状物Ｐの上面に接近または離間する調整が可能である。【選択図】  図６
2009083476.tif 000002
【特許請求の範囲】
【請求項１】
シート状物の搬送方向下流側端縁と当接してこのシート状物の搬送方向への移動を規制する前当てへ前記シート状物を案内するシート状物の案内装置において、
回転可能かつシート状物の上面に対する遠近方向へ移動可能に支持されその外周面がシート状物の上面と接触して当該シート状物を案内する回転ガイド体と、
前記回転ガイド体をシート状物の上面に対する遠近方向へ位置調整する回転ガイド体調整装置と、
シート状物の搬送方向かつシート状物の左右方向に延び、シート状物の上面と接触して当該シート状物を案内する案内面を有し、シート状物の上面に対する遠近方向へ移動可能に支持された板状ガイド体と、
前記板状ガイド体をシート状物の上面に対する遠近方向へ位置調整する板状ガイド体調整装置とを備え、
前記回転ガイド体に対応して前記板状ガイド体のシート状物搬送方向下流側端部に空間部を形成し、
前記空間部を介して前記回転ガイド体の前記外周面の前記シート状物との接触箇所を前記板状ガイド体の前記案内面よりも下方へ位置付けることを可能としたことを特徴とするシート状物の案内装置。
【請求項２】
前記回転ガイド体を前記シート状物の左右方向に複数並設し、
前記空間部を複数の前記回転ガイド体に対応して複数形成したことを特徴とする請求項１記載のシート状物の案内装置。
【請求項３】
前記回転ガイド体調整装置は、すべての前記回転ガイド体の位置を同時に調整する全回転ガイド体調整装置と、複数の前記回転ガイド体に対応して複数設けられ、各回転ガイド体の位置を調整する個別回転ガイド体調整装置とを備えることを特徴とする請求項２記載のシート状物の案内装置。
【請求項４】
左右のフレーム間に回転可能に支持され、複数の前記回転ガイド体および複数の前記個別回転ガイド調整装置が支持されたステーを設け、
前記全回転ガイド体調整装置は、前記ステーを回転させるステー回動調整装置であることを特徴とする請求項３記載のシート状物の案内装置。
【請求項５】
前記板状ガイド体および前記板状ガイド体調整装置が前記ステーに支持されていることを特徴とする請求項４記載のシート状物の案内装置。
【請求項６】
前記個別回転ガイド体調整装置は、
揺動自在に支持され前記回転ガイド体を回転自在に支持する支持部材と、
前記支持部材が当接して当該支持部材の位置を規制し、位置調整することにより前記支持部材の位置を調整する支持部材調節部材と、
当該支持部材が前記支持部材調節部材に当接するように前記支持部材を付勢する付勢部材とを備えることを特徴とする請求項４記載のシート状物の案内装置。
【請求項７】
前記板状ガイド体調整装置は、
前記ステーに前記シート状物の上面に対する遠近方向へ移動可能に取り付けられ、前記板状ガイド体を支持する支持体と、
前記支持体を前記シート状物の上面に対する遠近方向へ移動させる支持体調節部材とを備えたことを特徴とする請求項５記載のシート状物の案内装置。
【請求項８】
前記板状ガイド体の前記空間部は、シート状物搬送方向下流側が開口した切欠きによって構成されることを特徴とする請求項１記載のシート状物の案内装置。
【発明の詳細な説明】
【技術分野】
【０００１】
本発明は、搬送されてきたシート状物を前当てへ案内するシート状物の案内装置に関するものである。
【背景技術】
【０００２】
例えば、枚葉輪転印刷機の給紙装置などに実施されているシート状物の案内装置では、シート状物は必ずしも平坦状を呈しているとは限らず、シート状物の前端は、波打ちしたものや上反りしたものあるいはカールしたもの等変形したものがある。シート状物がこのように変形すると、前当てに当接しないで当該前当てを乗り越えてしまうおそれがある。これを防止するために、この種のシート状物の案内装置には、差板のシート状物搬送方向下流側にシート状物押え装置が設けられており、差板に送り出されてきたシート状物の変形を矯正し、シート状物を確実に前当てに当接させ、当該前当てによりシート状物を位置決めし、シート状物の斜行を矯正して確実にシート受け渡し装置へ引き渡すことができるようにしている。
【０００３】
この種のシート状物押え装置としては、ばね材によって形成された紙押え板や搬送されてきたシート状物の上面に接触するローラがある（例えば、特許文献１参照）。
【特許文献１】特開２００２−２２５２２８号公報（段落〔００１２〕〜〔００１４〕、図１３および図１４）
【発明の開示】
【発明が解決しようとする課題】
【０００４】
上述した従来のシート状物押え装置のうち紙押え板の場合は、シート状物を搬送方向および左右方向の広い範囲で案内するために、薄いシート状物の場合は、このシート状物に発生した変形を矯正することができる反面、厚いシート状物の場合は、このシート状物が鱗状に搬送されてくると、先行するシート状物により紙押え板が持ち上げられ、連続してくる次の紙が適切に前当てに案内されなくなるというおそれがある。また、シート状物と紙押え板とが擦れ合うことになるので、シート状物の表面に傷が付きやすく、特に傷が付きやすいフィルム等の場合はこの紙押え板は使用ができなくなるという問題もあった。一方、案内部材がローラの場合は、厚いシート状物が鱗状に搬送されてきても先行するシート状物を点接触で押え付けているため、連続してくる次のシート状物を確実に前当てに案内することはできるが、薄いシート状物が前当てに当接したときの衝撃で皺が発生したり、シート状物に発生した変形を矯正することはできないという問題があった。
【０００５】
本発明は上記した従来の問題に鑑みなされたものであり、その目的とするところは、種々のシート状物を確実に前当てに当接させるよう当該シート状物を案内するシート状物の案内装置を提供するところにある。
【課題を解決するための手段】
【０００６】
この目的を達成するために、本発明は、シート状物の搬送方向下流側端縁と当接してこのシート状物の搬送方向への移動を規制する前当てへ前記シート状物を案内するシート状物の案内装置において、回転可能かつシート状物の上面に対する遠近方向へ移動可能に支持されその外周面がシート状物の上面と接触して当該シート状物を案内する回転ガイド体と、前記回転ガイド体をシート状物の上面に対する遠近方向へ位置調整する回転ガイド体調整装置と、シート状物の搬送方向かつシート状物の左右方向に延び、シート状物の上面と接触して当該シート状物を案内する案内面を有し、シート状物の上面に対する遠近方向へ移動可能に支持された板状ガイド体と、前記板状ガイド体をシート状物の上面に対する遠近方向へ位置調整する板状ガイド体調整装置とを備え、前記回転ガイド体に対応して前記板状ガイド体のシート状物搬送方向下流側端部に空間部を形成し、前記空間部を介して前記回転ガイド体の前記外周面の前記シート状物との接触箇所を前記板状ガイド体の前記案内面よりも下方へ位置付けることを可能としたものである。
【０００７】
本発明は、前記発明において、前記回転ガイド体を前記シート状物の左右方向に複数並設し、前記空間部を複数の前記回転ガイド体に対応して複数形成したものである。
【０００８】
本発明は、前記発明のいずれか一つの発明において、前記回転ガイド体調整装置は、すべての前記回転ガイド体の位置を同時に調整する全回転ガイド体調整装置と、複数の前記回転ガイド体に対応して複数設けられ、各回転ガイド体の位置を調整する個別回転ガイド体調整装置とを備えるものである。
【０００９】
本発明は、前記発明のいずれか一つの発明において、左右のフレーム間に回転可能に支持され、複数の前記回転ガイド体および複数の前記個別回転ガイド調整装置が支持されたステーを設け、前記全回転ガイド体調整装置は、前記ステーを回転させるステー回動調整装置である。
【００１０】
本発明は、前記発明のいずれか一つの発明において、前記板状ガイド体および前記板状ガイド体調整装置が前記ステーに支持されている。
【００１１】
本発明は、前記発明のいずれか一つの発明において、前記個別回転ガイド体調整装置は、揺動自在に支持され前記回転ガイド体を回転自在に支持する支持部材と、前記支持部材が当接して当該支持部材の位置を規制し、位置調整することにより前記支持部材の位置を調整する支持部材調節部材と、当該支持部材が前記支持部材調節部材に当接するように前記支持部材を付勢する付勢部材とを備えるものである。
【００１２】
本発明は、前記発明のいずれか一つの発明において、前記板状ガイド体調整装置は、前記ステーに前記シート状物の上面に対する遠近方向へ移動可能に取り付けられ、前記板状ガイド体を支持する支持体と、前記支持体を前記シート状物の上面に対する遠近方向へ移動させる支持体調節部材とを備えたものである。
【００１３】
本発明は、前記発明において、前記板状ガイド体の前記空間部は、シート状物搬送方向下流側が開口した切欠きによって構成される。
【発明の効果】
【００１４】
本発明によれば、シート状物を板状ガイド体と回転ガイド体とのいずれか一方または両方で案内することが可能となり、シート状物の種類に応じて適切なガイド体を選択して、シート状物を傷付けることなく確実に前当てへ案内することができる。そして、板状ガイド体のシート状物搬送方向下流側端部および回転ガイド体の両方を前当ての近傍に配設することができ、シート状物を前当ての近傍で案内することができるので、シート状物を確実に前当てに案内することができる。
【００１５】
また、前記発明のうち一つの発明によれば、回転ガイド体がシート状物の左右方向に複数並設され、複数の回転ガイド体に対応し空間部が複数形成されていることにより、回転ガイド体による案内をシート状物の左右方向の複数箇所で行うことができ、シート状物を確実に前当てへ案内することができる。そして、板状ガイド体によるシート状物の案内も回転ガイド体によるシート状物の案内も前当ての近傍で行うことができ、シート状物を確実に前当てへ案内することができる。
【００１６】
また、前記発明のうち一つの発明によれば、全回転ガイド体調整装置により複数の回転ガイド体の位置を一括して調整することができ、回転ガイド体の調整を容易かつ確実にすることができる。そして、個別回転ガイド体調整装置により複数の回転ガイド体を個別に調整することができる。
【発明を実施するための最良の形態】
【００１７】
以下、本発明の実施の形態を図に基づいて説明する。図１（Ａ）は本発明に係るシート状物の案内装置の左半分を示す平面図、同図（Ｂ）は板状ガイド体の要部を示す平面図、図２は同じく右半分を示す平面図、図３（Ａ）は同図（Ｂ）におけるIII （Ａ）矢視図、同図（Ｂ）は図２におけるIII（Ｂ）-III（Ｂ） 線断面図、図４は図３（Ｂ）におけるIV-IV 線断面図、図５は図１におけるV-V 線断面図、図６（Ａ）は同図（Ｂ）におけるVI（Ａ）矢視図、同図（Ｂ）は図２におけるVI（Ｂ）- VI（Ｂ）線断面図、図７（Ａ）は図１におけるVII（Ａ）-VII（Ａ）線断面図、同図（Ｂ）は同図（Ａ）におけるVII 矢視図である。
【００１８】
図１および図２に全体を符号１で示すシート状物の案内装置は、図示を省略したフィーダボードからシート状物が搬送されてくるシート状物案内部材としての差板２と、この差板２のシート状物の搬送方向下流側（矢印Ａ方向）端部に設けられ、シート状物の搬送方向下流側端部と当接してシート状物の搬送方向への移動を規制する前当て３と、この前当て３へシート状物を案内する案内装置４とを備えている。前当て３は、シート状物の先端（シート状物搬送方向下流側端縁）が当接する当て３ａと、シート状物の上方に設けられこのシート状物を当て３ａへ案内する当てベロ３ｂと、当て３ａおよび当てベロ３ｂを支持するレバー装置３ｃとから構成されている。このうち、シート状物の左右方向（幅方向）の中央部に設けられた前当て３は、二つの当て３ａが互いに隣接して配設されている。一方、両側部に設けられた前当て３は、二つの当て３ａの間に当てベロ３ｂが配設されている。
【００１９】
案内装置４は、シート状物の上面に沿いかつシート状物の左右方向に延び、シート状物の上面に対する遠近方向へ移動可能に支持された５枚の板状ガイド体５Ａないし５Ｅと、回転可能かつシート状物の上面に対する遠近方向へ移動可能に支持されその外周面がシート状物の上面と接触する複数の回転ガイド体６とを備えている。回転ガイド体６は、図６（Ａ）に示すように外周面の中央部を膨出させたプラスチックからなるころによって形成されている。
【００２０】
７は左右の給紙フレーム８Ａ，８Ｂ間に支架された角柱状に形成されたステーであって、円柱状に形成された両端部７ａ，７ｂが給紙フレーム８Ａに固定された支持ブロック９Ａ、給紙フレーム８Ｂに固定された支持ブロック９Ｂのそれぞれに回転可能に支持されている。
【００２１】
〔板状ガイド体の支持構造〕
次に、図１ないし図５を用いて、板状ガイド体の支持構造について説明する。ステー７の両端部には、板状ガイド体５Ａないし５Ｅを上下方向、すなわち、シート状物の上面に対する遠近方向に移動調節可能に支持する板状ガイド体調整装置としての支持装置１０Ａ，１０Ｂが備えられている。これら支持装置１０Ａ，１０Ｂは共に同じ構造を有しているので、ここでは支持装置１０Ｂについて説明し、必要に応じて支持装置１０Ａについても説明する。
【００２２】
支持装置１０Ｂは、図３（Ｂ）に示すように、板状ガイド体５Ａないし５Ｅを上下方向に移動させる支持体調節部材としての第１の調節ボルト１１と、この第１の調節ボルト１１の回転操作によって上下に移動する移動体１２と、この移動体１２と一体的に移動し板状ガイド体５Ａないし５Ｅを支持板１３を介して支持する支持体１４と、この支持体１４を第１の固定ブロック１５を介してステー７に固定する支持体固定部材としての固定ボルト１６とから概ね構成されている。
【００２３】
第１の調節ボルト１１は、図４に示すように上端部に操作部としての摘み１１ａが設けられ、この摘み１１ａと一体に大径部１１ｂと小径部１１ｃおよびねじ部１１ｄが設けられており、ねじ部１１ｄがステー７のねじ孔７ａに螺合している。移動体１２は断面がコ字状に形成され、第１の調節ボルト１１が挿通される挿通孔１２ａ，１２ａが形成された互いに対向する対向部１２ｂ，１２ｂが設けられている。そして、移動体１２は、二つの対向部１２ｂ，１２ｂの間にステー７が位置するように、当該ステー７に第１の調節ボルト１１を介して支持される。
【００２４】
第１の調節ボルト１１の小径部１１ｃはストッパ１７が固着されており、このストッパ１７と前記大径部１１ｂとによって対向部１２ｂ，１２ｂを挟み、第１の調節ボルト１１を時計・反時計方向へ回転操作することにより、第１の調節ボルト１１と一体的に移動体１２がステー７に対して上下方向へ移動する。
【００２５】
支持体１４は、図３（Ｂ）に示すようにボルト１８ａ，１８ｂによって前記移動体１２の対向部１２ｂ，１２ｂに取り付けられており、後述する固定ボルト１６が挿通される上下方向に長い長孔１４ａが設けられている。移動体１２と支持体１４とは、ステー７を挟むように取り付けられ、第１の調節ボルト１１を操作したときに移動体１２と支持体１４とからなる構成体は、ステー７の側面で案内されながら上下方向へ移動する。
【００２６】
第１の固定ブロック１５は、図３ないし図５に示すようにボルト１９によってステー７に取り付けられており、固定ボルト１６が螺合するねじ孔１５ａが設けられている。支持体１４は、固定ボルト１６の摘み１６ａと第１の固定ブロック１５との間に位置している。したがって、固定ボルト１６の摘み１６ａを回動操作し、固定ボルト１６を緩めて支持体１４の固定を解いた後に、第１の調節ボルト１１を時計・反時計方向へ回転操作し、移動体１２を上下方向へ移動させることにより、支持体１４は移動体１２に追従して上下方向へ移動する。支持体１４を上下方向へ移動させて位置調整した後、固定ボルト１６を締め付けることにより支持体１４は固定ボルト１６の大径部１６ｂと第１の固定ブロック１５とにより挟持され固定される。支持体１４の長孔１４ａは、第１の調節ボルト１１による支持体１４の位置調節を許容するとともに、固定ボルト１６による固定を可能とする目的で設けられたものである。
【００２７】
支持板１３は、図１および図２に示すように左右の支持装置１０Ａ，１０Ｂ間に延在するように長く形成されており、図５に示すように両端部がボルト２０によって支持装置１０Ａ，１０Ｂの支持体１４，１４のそれぞれに取り付けられている。板状ガイド体５Ａないし５Ｅは、図５に示すように断面が湾曲したＬ字状に形成されており、シート状物の上面に対して垂直方向に延在する基端部５ａと、シート状物Ｐに添接してシート状物を前当て３に案内する水平方向に延在する案内部５ｂとを備えている。
【００２８】
この板状ガイド体５Ａないし５Ｅは、それぞれ基端部５ａがボルト２１によって支持板１３に取り付けられている。案内部５ｂのシート状物搬送方向下流側（矢印Ａ方向）端部には、図１および図２に示すように複数の前記回転ガイド体６のそれぞれが臨む複数の空間部としての切欠き５ｃと、これら切欠き５ｃ間に対応する案内面５ｄとが設けられている。
【００２９】
第１の調節ボルト１１の操作により支持体１４の位置が調節され、板状ガイド体５Ａないし５Ｅと差板２との間の隙間量が調節される。このように、支持体１４を上下方向に移動させ、板状ガイド体５Ａないし５Ｅの案内面５ｄをシート状物Ｐの上面に対して垂直方向に移動するようにしたことにより、板状ガイド体５Ａないし５Ｅを移動させても、案内面５ｄとシート状物Ｐの上面との平行度が維持される。このため、あらゆる厚みのシート状物に対して案内面５ｄの全面が均等に接触するから、案内面５ｄによってシート状物Ｐを確実に案内できるとともに、前当て３に当接したときの衝撃でシート状物Ｐに皺が発生することを防止し、前当て３に当接する前からシート状物Ｐに発生している皺や波打ち等のシート状物Ｐの変形を確実に矯正することができる。第１の調節ボルト１１、移動体１２、支持体１４が板状ガイド体調整装置を構成し、第１の固定ブロック１５、固定ボルト１６が板状ガイド体固定装置を構成している。
【００３０】
図１および図２において、２３，２３は従来から広く知られている幅方向位置合わせ装置としての横針装置であって、前当て３にシート状物の搬送方向下流側端部が当接したシート状物の左右方向の位置合わせを行うためのものである。
【００３１】
［回転ガイド体の支持構造］
次に、図１および図２ならびに図６を用いて、回転ガイド体６の支持構造について説明する。図６（Ｂ）において、２５はボルト２６によってステー７に固定された第２の固定ブロックであって、水平部２７と垂直部２８とによってＬ字状に形成されており、水平部２７にはねじ孔２７ａが設けられている。垂直部２８にはねじ孔２８ａが設けられており、垂直部２８の下端には互いに対向する軸支持部２８ｂ，２８ｂが下方に延設されている。
【００３２】
３０は中央部に設けた軸部３０ａが前記垂直部２８の軸支持部２８ｂ，２８ｂに揺動自在に支持された支持部材としてのレバーであって、一端部に軸３１を介して回転ガイド体６が回転自在に支持されており、この一端部と中央部との間にはばね受け用凹部３０ｂが設けられている。３２は第２の固定ブロック２５のねじ孔２７ａに螺合した支持部材調節部材としての第２の調節ボルトであって、先端にレバー３０の他端部が当接してレバー３０の回動を規制、すなわちレバー３０の回動端限を調節しており、上端に摘み３２ａが設けられている。この第２の調節ボルト３２にはロックナット３２ｂが螺合され、このロックナット３２ｂを回動して第２の固定ブロック２５の水平部２７の表面に圧接させることにより第２の調節ボルト３２の弛みが規制されてロックされる。
【００３３】
３３は第２の固定ブロック２５のねじ孔２８ａに螺合した付勢力調整部材としてのばね圧調整用ボルトであって、ナット３４が螺合しており、このばね圧調整用ボルト３３の先端と、レバー３０のばね受け用凹部３０ｂとの間には、付勢部材としての圧縮コイルばね３５が弾装されている。したがって、この圧縮コイルばね３５の弾発力によって、レバー３０は軸部３０ａを回動中心として回転ガイド体６をシート状物Ｐに対して押圧する方向でありレバー３０の他端部を調節ボルト３２の先端に押圧する方向（図中反時計方向）に付勢されており、ロックナット３２ｂを緩めて先端が下方に移動するように第２の調節ボルト３２を回動させることにより、前記圧縮コイルばね３５の弾発力に抗してレバー３０が図中時計方向に回動し回転ガイド体６がシート状物Ｐの上面から離間する。そして、先端が上方へ移動するように第２の調節ボルト３２を回動させることにより、前記圧縮コイルばね３５の弾発力によりレバー３０が図中反時計方向に回動し、回転ガイド体６がシート状物Ｐの上面に近接する。このように、第２の調節ボルト３２の操作によりレバー３０の位置が調節され、回転ガイド体６と差板２との間の隙間量が調節される。
【００３４】
回転ガイド体６が摩擦係数が低いプラスチックによって形成され、かつ外周面の中央部が円弧状に形成されていることにより、回転ガイド体６の外周面とシート状物とが点接触となるため、シート状物との間に発生する摩擦力が低減される。このため、横針装置２３によってシート状物が左右方向に移動するときに回転ガイド体６によってシート状物に擦れによる傷を付けるようなことがない。レバー３０、第２の固定ブロック２５、圧縮コイルばね３５、第２の調節ボルト３２が個別回転体調整装置を構成している。
【００３５】
［ステーの支持構造］
次に、図１および図７を用いて、ステー７を回動させる構造について説明する。図７において、３６はボルト３６ａ，３６ａによって一方の給紙フレーム８Ａに固定された固定ブロックであって、この固定ブロック３６にはボルト３８によって支持ブロック９Ａが固定されている。３９は側面視が逆Ｌ字状に形成されたブラケットであって、ボルト４０によって支持ブロック９Ａの後端面に固定されており、このブラケット３９には、軸４１ａを介して支持体４１が枢着されている。
【００３６】
４２は支持体４１に軸線方向への移動を規制されかつ回転自在に支持された回転部材であって、一端側にばね受け部４２ａが設けられており、このばね受け部４２ａにシャフト４３が軸着され、このシャフト４３の先端側にはねじ部４３ａが形成されている。回転部材４２の他端側には、外周面にセレーションが設けられた回り止め用大径部４２ｂが一体に形成されており、この回り止め用大径部４２ｂには六角穴付き操作部４２ｃが一体に突設されている。４４は支持体４１に取り付けられた板ばねであって、先端部が回り止め用大径部４２ｂの外周面に係合しており、外周面に設けられたセレーションとともに回転部材４２が機械稼動中に機械の振動等による回動を防止する回り止め機構を形成している。
【００３７】
４５は下部側においてボルト４６によってステー７の一端部に割締め固定された揺動子であって、上部は二股状に形成され、この二股部に小円柱状に形成された回動子４５ａが回転自在に支持されており、この回動子４５ａには、回転部材４２のねじ部４３ａが螺合するねじ孔４５ｂが半径方向に延在するように設けられている。この揺動子４５と回転部材４２のばね受け部４２ａとの間には、圧縮コイルばね４７が弾装されている。したがって、回転部材４２の六角穴付き操作部４２ｃをレンチ等によって回転操作し、シャフト４３を一方向へ回転させることにより、揺動子４５がステー７の先端部７ａを回動中心として図中反時計方向に回動する。このステー７の回動によって、ステー７に支持された全ての回転ガイド体６が軸支持部２８ｂを中心に図６（Ｂ）中時計方向に回動していっせいにシート状物Ｐの上面から離反し、全ての回転ガイド体６と差板２との間の隙間量を一括して調整することができる。
【００３８】
一方、回転部材４２の六角穴付き操作部４２ｃをレンチ等によって回転操作し、シャフト４３を一方向と反対方向の他方向へ回転させることにより、揺動子４５がステー７の先端部７ａを回動中心として図中時計方向に回動する。このステー７の回動によって、ステー７に支持された全ての回転ガイド体６が軸支持部２８ｂを中心に図６（Ｂ）中反時計方向に回転していっせいにシート状物Ｐの上面に接近し、全てのガイド体６と差板２との間の隙間量を一括して調整することができる。回動部材４２、シャフト４３、揺動子４５、圧縮コイルばね４７が、全回転ガイド体調整装置を構成する。そして、個別回転ガイド体調整装置および／または全回転体調整装置が、回転ガイド体調整装置を構成する。
【００３９】
次に、このように構成されたシート状物の案内装置において、シート状物の厚みや種類に応じて板状ガイド体５Ａないし５Ｅと回転ガイド体６との調整方法について説明する。先ず、ステー７による調整を行わない方法について説明する。
【００４０】
［薄いシート状物の場合］
薄いシート状物を案内するときには、シート状物を板状ガイド体５Ａないし５Ｅおよび回転ガイド体６により案内する。すなわち、板状ガイド体５Ａないし５Ｅの案内面５ｄと差板２との間隔をシート状物の厚みに対応させる調整と、個別回転体調整装置により複数の回転ガイド体６を個々に調整して、この回転ガイド体６の外周面と差板２との間隔をシート状物の厚みに対応させる調整を行う。
【００４１】
すなわち、図１および図２において、支持装置１０Ａ，１０Ｂの固定ボルト１６の摘み１６ａを回転操作し、固定ボルト１６を緩めた後に、図３（Ｂ）に示すように第１の調節ボルト１１を時計・反時計方向へ回転操作し、移動体１２を上下方向へ移動させることにより、支持体１４を移動体１２に追従させて上下方向へ移動させ、板状ガイド体５Ａないし５Ｅを上下方向に移動させる。これにより、板状ガイド体５Ａないし５Ｅの案内面５ｄと差板２との間隔をシート状物の厚みに対応させる。しかる後、摘み１６ａを回動操作し、固定ボルト１６を締め付け、支持体１４を第１の固定ブロック１５に固定することにより、板状ガイド体５Ａないし５Ｅがシート状物の厚みに対応した位置に調整される。ここで、板状ガイド体５Ａないし５Ｅの案内面５ｄは、その案内面がシート状物Ｐの上面に対して垂直に移動するため、案内面とシート状物の上面との平行度が維持される。このため、あらゆる厚さのシート状物に対して最適な案内を得ることができ、確実に前当て３へ案内することができる。
【００４２】
次いで、図６（Ｂ）において、ロックナット３２ｂの締め付けを弛め、第２の調節ボルト３２の摘み３２ａを時計・反時計方向へ回転操作し、第２の調節ボルト３２を第２の固定ブロック２５の水平部２７から進退させる。この第２の調節ボルト３２の進退によって、第２の調節ボルト３２の先端の位置が調節され、それにともないレバー３０を時計・反時計方向へ揺動させ、回転ガイド体６の外周面と差板２との間隔をシート状物の厚みに対応させ、ロックナット３２ｂを締め付けることにより回転ガイド体６をシート状物の厚みに対応した位置に調整した後固定する。この調整を各回転ガイド体６について行う。これにより、シート状物Ｐは、前当て３の近傍で板状ガイド体５Ａないし５Ｅおよび回転ガイド体６により案内されるので、前当て３に当接したときの衝撃による皺が発生せず、前当て３に確実に案内される。また、回転ガイド体６および／または板状ガイド体５Ａないし５Ｅの調整の際、板状ガイド体５Ａないし５Ｅの切欠き５ｃにより、これら板状ガイド体５Ａないし５Ｅと回転ガイド体６とが互いに干渉するようなことがない。
【００４３】
［傷が付きやすいシート状物または厚いシート状物の場合］
フィルムのような表面に傷が付きやすいシート状物を案内したり、厚紙などの腰の強いシート状物が鱗状に重なって搬送される場合は、シート状物の案内を回転ガイド体６のみによって行い、板状ガイド体５Ａないし５Ｅでは行わないようにする。すなわち、図１および図２において、支持装置１０Ａ，１０Ｂの固定ボルト１６の摘み１６ａを回転操作し、固定ボルト１６を緩めた後に、図３（Ｂ）に示すように第１の調節ボルト１１を回転操作し、移動体１２を上方へ移動させる。この移動に追従させ支持体１４も上方へ移動させ、板状ガイド体５Ａないし５Ｅも上方へ移動させることにより、案内面５ｄがシート状物に接触しないように案内面５ｄを差板２から離間させる。この板状ガイド体５Ａないし５Ｅの上方への移動は、板状ガイド体５Ａないし５Ｅの切欠き５ｃにより、各回転ガイド体６と干渉することなく行うことができる。このように調整することにより、シート状物は回転ガイド体６によってのみに案内されるから、シート状物に傷が付くようなことがない。また、仮にシート状物が鱗状に搬送されてきても先行するシート状物を回転ガイド体６によって点接触で押え付けることができるため、次のシート状物を確実に前当て３に案内することができる。次に、ステー７を回動させて調整する方法を説明する。
【００４４】
［初期調整］
先ず、各回転ガイド体６の全ての外周面と差板２との間隔が同一になるように第２の調節ボルト３２で調節する。
［初期調整終了後にステー７を回動させて調整する方法］
この場合は、ステー７を回動させて、すべての回転ガイド体６を一括して調整する。すなわち、図７において、回転部材４２の六角穴付き操作部４２ｃをレンチ等によって回転操作し、シャフト４３を回転させることにより、揺動子４５をステー７の先端部７ａを回動中心として回動させる。このステー７の回動によって、ステー７に一体化された図６（Ｂ）に示す支持体２５を介して回転ガイド体６が移動するから、回転ガイド体６の外周面と差板２との間隔がシート状物の厚みに対応した位置に調整される。この回転ガイド体６の調整時に、ステー７に一体化された図５に示す支持体１４を介して板状ガイド体５Ａないし５Ｅも同時に調整される。
【００４５】
このとき、案内するシート状物が傷の付きやすいシート状物や鱗状に重なって搬送される厚いシート状物であったり、板状ガイド板５Ａないし５Ｅによる案内が不要な場合は、さらに板状ガイド板５Ａないし５Ｅがシート状物に接触しないような調整を行う。すなわち、支持装置１０Ａ，１０Ｂの固定ボルト１６の摘み１６ａを回転操作し、固定ボルト１６を緩めた後に、図３（Ｂ）に示すように第１の調節ボルト１１を回転操作し、移動体１２を上方へ移動させる。この移動に追従させ支持体１４も上方へ移動させ、板状ガイド体５Ａないし５Ｅも上方へ移動させることにより、案内面５ｄをシート状物と接触しないように大きく離間させる。このように、ステー７を回動させることにより、すべての回転ガイド体６を一括して調整することができるため、調整時間を短縮することができ、作業効率を向上させることができる。
【００４６】
また、薄いシート状物のときには、ステー７を回動させて、回転ガイド体６と差板２との間の隙間量がシート状物の厚みに対応するように、すべての回転ガイド体６を一括して調整する。
【００４７】
このとき、板状ガイド板５Ａないし５Ｅと差板２との間隔がシート状物の厚みに対応していない場合は、板状ガイド板５Ａないし５Ｅをシート状物の厚みに対応するように調整する。すなわち、支持装置１０Ａ，１０Ｂの固定ボルト１６の摘み１６ａを回転操作し、固定ボルト１６を緩めた後に、図３（Ｂ）に示すように第１の調節ボルト１１を回転操作し、移動体１２を上下方向へ移動させる。この移動に追従させ支持体１４も上下方向へ移動させ、板状ガイド体５Ａないし５Ｅも上下方向へ移動させることにより、案内面５ｄと差板２との間隔をシート状物の厚みに対応するように調整する。
【００４８】
また、薄いシート状物を板状ガイド体５Ａないし５Ｅのみで案内する場合は、先ず、ステー７を上記した方法で回動させ、すべての回転ガイド体６を一括してシート状物に接触しない位置へ位置付ける調整を行う。次いで、板状ガイド板５Ａないし５Ｅをシート状物の厚みに対応するように調整する。すなわち、支持装置１０Ａ，１０Ｂの固定ボルト１６の摘み１６ａを回転操作し、固定ボルト１６を緩めた後に、図３（Ｂ）に示すように第１の調節ボルト１１を回転操作し、移動体１２を下方へ移動させる。この移動に追従させ支持体１４も下方へ移動させ、板状ガイド体５Ａないし５Ｅも下方へ移動させることにより、案内面５ｄと差板２との間隔をシート状物の厚みに対応するように調整する。
【００４９】
板状ガイド体５Ａないし５Ｅの案内面５ｄによってシート状物Ｐに発生する皺を矯正することができる。また、仮にシート状物Ｐが鱗状に搬送されてきても先行するシート状物を回転ガイド体６によって点接触で押え付けることができるため、次のシート状物を確実に前当て３に案内することができる。また、板状ガイド体５Ａないし５Ｅの案内面５ｄをシート状物Ｐの上面から離間させ、回転ガイド体６のみによってシート状物を案内することにより、シート状物Ｐに傷を付けるようなこともない。このように、回転ガイド体６および／または板状ガイド体５Ａないし５Ｅによるシート状物Ｐの案内を前当て３の近傍で行うことが可能となるため、シート状物Ｐを確実に前当て３へ案内することができる。また、回転ガイド体６および／または板状ガイド体５Ａないし５Ｅの調整の際、板状ガイド体５Ａないし５Ｅの切欠き５ｃにより、これら板状ガイド体５Ａないし５Ｅと回転ガイド体６とが互いに干渉するようなことがない。
【００５０】
なお、本実施例においては、切欠き５ｃによって空間部を形成したが、孔によって形成してもよい。また、板状ガイド体５Ａないし５Ｅを５枚に分割したが、１枚または５枚以外の複数枚としてもよい。また、本実施例においては、印刷機に適用した例を説明したが、コーティング機やシート状物を検査する検査機、ラミネート機、エンボス加工機、打抜機等にも適用できる。
【図面の簡単な説明】
【００５１】
【図１】同図（Ａ）は本発明に係るシート状物の案内装置の左半分を示す平面図、同図（Ｂ）は板状ガイド体の要部を示す平面図である。
【図２】本発明に係るシート状物の案内装置の右半分を示す平面図である。
【図３】同図（Ａ）は同図（Ｂ）におけるIII （Ａ）矢視図、同図（Ｂ）は図２におけるIII（Ｂ）-III（Ｂ） 線断面図である。
【図４】図３（Ｂ）におけるIV-IV 線断面図である。
【図５】図１におけるV-V 線断面図である。
【図６】同図（Ａ）は同図（Ｂ）におけるVI（Ａ）矢視図、同図（Ｂ）は図２におけるVI（Ｂ）- VI（Ｂ）線断面図である。
【図７】同図（Ａ）は図１におけるVII（Ａ）-VII（Ａ）線断面図、同図（Ｂ）は同図（Ａ）におけるVII 矢視図である。
【符号の説明】
【００５２】
１…シート状物の案内装置、２…差板、３…前当て、４…案内装置、５Ａないし５Ｅ…板状ガイド体、５ｃ…切欠き（空間部）、５ｄ…案内面、６…回転ガイド体、７…ステー、１０Ａ，１０Ｂ…支持装置、１１…第１の調節ボルト、１４…支持体、１５…第１の固定部ロック、２５…第２の固定ブロック、３０…揺動部材、３２…第２の調節ボルト、３５…圧縮コイルばね、４２…回転部材、４５…揺動子、Ｐ…シート状物。
【図１】
2009083476.tif 000003
【図２】
2009083476.tif 000004
【図３】
2009083476.tif 000005
【図４】
2009083476.tif 000006
【図５】
2009083476.tif 000007
【図６】
2009083476.tif 000008
【図７】
2009083476.tif 000009